(57)【特許請求の範囲】
【請求項１】
以下：
−    一本の、或いは、複数本の送信アンテナによる送信シグナルを発するための送信手段、
−    一本の、或いは、複数本の受信アンテナによるオブジェクトによって反射された送信シグナルを受信するための受信手段、並びに、
−    受信されたシグナルを処理するためのシグナル処理手段
を備えた、
但し、
−    照射される送信パワーの周波数が、これが、Ｋ本の同じ傾きの線形ランプのシーケンスを包含する様に変調され、
−    周波数ランプ毎にパラレルに、及び／或いは、各々Ｐ本の連続する周波数ランプ（以下、「周波数ランプグループ」と呼ぶ）毎に、シリアルに（即ち、Ｋ／Ｐ回）、送信アンテナと受信アンテナの様々な組合せ（例えば、ｉ）  一本の送信アンテナが、送信パワーを照射し、少なくとも二本の受信アンテナが、反射された電磁波を受信する、或いは、ｉｉ）  ｎ  （ｎ＝１，２，…．Ｎ）本の送信アンテナが、送信パワーを照射し、一本、或いは、複数本の受信アンテナが、その送信パワーを受信する）の受信シグナルが、発振器シグナルとの混合、並びに、走査によって収集され、
−    デジタルシグナル処理手段内において、例えば、離散フーリエ変換（ＤＦＴ）として、周波数ランプ毎、並びに、送信アンテナと受信アンテナの組合せ毎の走査値に関する第一スペクトル分析が計算され、
−    Ｋ本の周波数ランプ毎に、該第一スペクトル分析の結果が、所謂「距離ゲート」を示す周波数ノードの少なくとも一部用に保存され、
−    続いて、距離ゲートと送信アンテナと受信アンテナの組合せ毎に周波数ランプ、乃至、周波数ランプグループに関して保存された値について、例えば、ＤＦＴとして第二スペクトル分析が計算され、
−    その送信アンテナと受信アンテナの様々な組合せに関する結果が、更に（例えば、第三ＤＦＴによる、デジタル電磁波成形の助けを借りて）プロセッシングされる
車両の周辺把握のためのレーダーシステムであって、
−    第一スペクトル分析の結果は、メモリーエリア節約のために圧縮した形で保存できる、但し、
−    距離ゲートと周波数ランプ、乃至、周波数ランプグループ毎の送信アンテナと受信アンテナの様々な組合せの結果は、同じスケーリングを有しているため、該スケーリングは、一回だけ保存されなければならない、
−    そして、そのようにスケーリングされた値は、シグナル処理（特に、スペクトル分析）において使用され、トランケーションされ、これにより、削減されたビット数で保存され、
−    更に、この圧縮された値は、次の処理の前に（即ち、第二スペクトル分析の前に）、再び圧縮解除されることを特徴とする車両の周辺把握を行うためのレーダーシステム。
【請求項２】
シグナル処理（特に、スペクトル分析）が、二の補数表現を用いた固定小数点算術によってなされることを特徴とする請求項１に記載のレーダーシステム。
【請求項３】
値の共通のスケーリングが、最上位のビットとそれぞれ同じ値の最少のビット数によって定められ、続いて、スケーリングのために、このようにして定められた数分、前のビットがカットされることを特徴とする請求項２に記載のレーダーシステム。
【請求項４】
値の共通のスケーリング、並びに、スケーリングされ少ないビット数にトランケーションされた値が、そのビット数が、好ましくは、二のべき乗である共通のバイナリ・ワードにコーディングされることを特徴とする請求項１〜３のいずれか１項に記載のレーダーシステム。
【請求項５】
共通のバイナリ・ワードにコーディングされスケーリングされた値に、特に、ビット数用に二のべき乗が定められている場合、これを最適に用いることができるように、異なるビット数が用いられることを特徴とする請求項１〜４のいずれか１項に記載のレーダーシステム。
【請求項６】
周波数ランプ、乃至、周波数ランプグループに関するトランケーションエラー、及び／或いは、送信アンテナと受信アンテナの様々な組合せが、少なくとも近似的に無・相関関係となるように、スケーリングされた値のトランケーション前に、ランダムな数が加算されることを特徴とする請求項１〜５のいずれか１項に記載のレーダーシステム。
【請求項７】
トランケーション前にランダムな数を加算する、或いは、四捨五入することにより、必要に応じてスケーリングが適合されなければならないことを考慮していることを特徴とする請求項１〜６のいずれか１項に記載のレーダーシステム。
【請求項８】
周波数ランプ、乃至、周波数ランプグループ毎の複数の、好ましくは、二つの隣接する距離ゲート用の送信アンテナと受信アンテナの様々な組合せの結果が、同じスケーリングであり、よって、該スケーリングは、一回のみ保存すればよいことを特徴とする請求項１〜７のいずれか１項に記載のレーダーシステム。
【請求項９】
該デジタルなシグナル処理手段において、送信アンテナと受信アンテナの様々な組合せにおける異なる感度を圧縮前に平滑化していることを特徴とする請求項１〜８のいずれか１項に記載のレーダーシステム。
【請求項１０】
各離散フーリエ変換（ＤＦＴｓ）が、高速フーリエ変換（ＦＦＴｓ）によって割り出されることを特徴とする請求項１〜９のいずれか１項に記載のレーダーシステム。
【請求項１１】
以下：
−    一本の、或いは、複数本の送信アンテナによる送信シグナルを発するための送信手段、
−    一本の、或いは、複数本の受信アンテナによるオブジェクトによって反射された送信シグナルを受信するための受信手段、並びに、
−    受信されたシグナルを処理するためのシグナル処理手段
を含む車両の周辺把握のためのレーダーシステム用の方法であって、
但し：
−    照射される送信パワーの周波数が、これが、Ｋ本の同じ傾きの線形ランプのシーケンスを包含する様に変調され、
−    周波数ランプ毎にパラレルに、及び／或いは、各々Ｐ本の連続する周波数ランプ（以下、「周波数ランプグループ」と呼ぶ）毎に、シリアルに（即ち、Ｋ／Ｐ回）、送信アンテナと受信アンテナの様々な組合せ（例えば、ｉ）  一本の送信アンテナが、送信パワーを照射し、少なくとも二本の受信アンテナが、反射された電磁波を受信する、或いは、ｉｉ）  ｎ  （ｎ＝１，２，…．Ｎ）本の送信アンテナが、送信パワーを照射し、一本、或いは、複数本の受信アンテナが、その送信パワー受信をする）の受信シグナルが、発振器シグナルとの混合、並びに、走査によって収集され、
−    デジタルシグナル処理手段内において、例えば、離散フーリエ変換（ＤＦＴ）として、周波数ランプ毎、並びに、送信アンテナと受信アンテナの組合せ毎の走査値に関する第一スペクトル分析が計算され、
−    Ｋ本の周波数ランプ毎に、該第一スペクトル分析の結果が、所謂「距離ゲート」を示す周波数ノードの少なくとも一部用に保存され、
−    続いて、距離ゲートと送信アンテナと受信アンテナの組合せ毎に周波数ランプ、乃至、周波数ランプグループに関して保存された値について、例えば、ＤＦＴとして第二スペクトル分析が計算され、
−    その送信アンテナと受信アンテナの様々な組合せに関する結果が、更に（例えば、第三ＤＦＴによる、デジタル電磁波成形の助けを借りて）プロセッシングされる
更に、以下：
−    第一スペクトル分析の結果は、メモリーエリア節約のために圧縮した形で保存できる、但し、
−    距離ゲートと周波数ランプ、乃至、周波数ランプグループ毎の送信アンテナと受信アンテナの様々な組合せの結果は、同じスケーリングを有しているため、該スケーリングは、一回だけ保存されなければならない、
−    そして、そのようにスケーリングされた値は、シグナル処理（特に、スペクトル分析）において使用され、トランケーションされ、これにより、削減されたビット数で保存され、
−    更に、この圧縮された値は、次の処理の前に（即ち、第二スペクトル分析の前に）、再び圧縮解除されることを特徴とする車両の周辺把握のためのレーダーシステム用の方法。
【請求項１２】
シグナル処理（特に、スペクトル分析）が、二の補数表現を用いた固定小数点算術によってなされることを特徴とする請求項１１に記載のレーダーシステム用の方法。
【請求項１３】
値の共通のスケーリングが、最上位のビットとそれぞれ同じ値の最少のビット数によって定められ、続いて、スケーリングのために、このようにして定められた数分、前のビットがカットされることを特徴とする請求項１２に記載のレーダーシステム用の方法。
【請求項１４】
値の共通のスケーリング、並びに、スケーリングされ少ないビット数にトランケーションされた値が、そのビット数が、好ましくは、二のべき乗である共通のバイナリ・ワードにコーディングされることを特徴とする請求項１１〜１３のいずれか１項に記載のレーダーシステム用の方法。
【請求項１５】
共通のバイナリ・ワードにコーディングされスケーリングされた値に、特に、ビット数用に二のべき乗が定められている場合、これを最適に用いることができるように、異なるビット数が用いられることを特徴とする請求項１１〜１４のいずれか１項に記載のレーダーシステム用の方法。
【請求項１６】
周波数ランプ、乃至、周波数ランプグループに関するトランケーションエラー、及び／或いは、送信アンテナと受信アンテナの様々な組合せが、少なくとも近似的に無・相関関係となるように、スケーリングされた値のトランケーション前に、ランダムな数が加算されることを特徴とする請求項１１〜１５のいずれか１項に記載のレーダーシステム用の方法。
【請求項１７】
トランケーション前にランダムな数を加算する、或いは、四捨五入することにより、必要に応じてスケーリングが適合されなければならないことを考慮していることを特徴とする請求項１１〜１６のいずれか１項に記載のレーダーシステム用の方法。
【請求項１８】
周波数ランプ、乃至、周波数ランプグループ毎の複数の、好ましくは、二つの隣接する距離ゲート用の送信アンテナと受信アンテナの様々な組合せの結果が、同じスケーリングであり、よって、該スケーリングは、一回のみ保存すればよいことを特徴とする請求項１１〜１７のいずれか１項に記載のレーダーシステム用の方法。
【請求項１９】
該デジタルなシグナル処理手段において、送信アンテナと受信アンテナの様々な組合せにおける異なる感度を圧縮前に平滑化していることを特徴とする請求項１１〜１８のいずれか１項に記載のレーダーシステム用の方法。
【請求項２０】
各離散フーリエ変換（ＤＦＴｓ）が、高速フーリエ変換（ＦＦＴｓ）によって割り出されることを特徴とする請求項１１〜１９のいずれか１項に記載のレーダーシステム用の方法。
【発明の詳細な説明】
【技術分野】
【０００１】
本発明は、車両に搭載されるドライバー・アシスタント・システムにおいて用いられるレーダーシステムに関する。本発明によれば、該レーダーシステムは、周期的直線的周波数変調と多次元的離散フーリエ変換における中間データの最適化された保存方法を有している。
【背景技術】
【０００２】
車両にはますます、センサーシステムの助けを借りて周辺部を捕捉し、そのようにして認識された交通状況から車両の自動的リアクションを導き出す、及び／或いは、ドライバーに指示を出す、特に好ましくは、警告するドライバー・アシスタント・システムが装備されるようになってきている。尚、これらは、快適機能と安全機能に分類される。
快適機能としては、現時点の開発においては、ＦＳＲＡ（Ｆｕｌｌ  Ｓｐｅｅｄ  Ｒａｎｇｅ  Ａｄａｐｔｉｖｅ  Ｃｒｕｉｓｅ  Ｃｏｎｔｒｏｌ）が、最も重要な役割を果たしている。車両は、交通状況が許す場合、ドライバーが設定した希望速度に自己速度を制御するが、状況が適さない場合、その交通状況に自己速度を自動的に適合させる。
【０００３】
快適性の向上に加え、安全機能も重要になってきているが、ここでの焦点は、緊急状況における制動距離の短縮に置かれている。このようなドライバー・アシスタント機能には、ブレーキが効き始めるまでの時間を短縮するために自動的にブレーキに与圧をかけておくもの（プレフィル機能）、改善されたブレーキアシスタント（ＢＡＳ＋）、更には、自律的緊急ブレーキに至るまで様々なものがある。
【０００４】
上記のようなドライバー・アシスタント・システム用には、現在、主にレーダーセンサーが採用されている。これは、悪い気象条件下でも信頼性高く機能し、オブジェクトへの間隔だけでなく、ドップラー効果によって、相対速度も直接的に測定できる。
【０００５】
高い認識クオリティを得るには、アンテナの設計、並びに、周波数変調が、重要である。最良な結果は、複数の送信、及び／或いは、受信アンテナを装備したアンテナ配置と多数の線形周波数ランプ（Ｒａｍｐ）の周期的なシーケンスによって達成される；尚、この際発生する大量のデータは、多くの計算キャパシティーとメモリーキャパシティーを必要とする、多次元的フーリエ変換によってプロセッシングされる。半導体技術における恒常的な進展により、クロック周波数が高くなり、よりインテリジェントな実装により計算キャパシティーのコストは、メモリーキャパシティーのそれよりも早く低下しており、センサーコストにおけるメモリーキャパシティーのコストが占める割合が、高くなってきている。
【発明の概要】
【発明が解決しようとする課題】
【０００６】
本発明の課題は、複数の送信、及び／或いは、受信アンテナを装備したアンテナ配置における多次元的フーリエ変換、並びに、周期的線形周波数変調において必要とされるメモリーキャパシティーを削減することである。
【課題を解決するための手段】
【０００７】
この課題は、原則的に、請求項１−１０に係るレーダーシステムと請求項１１−２０に係る方法の助けを借りて解決される。
【０００８】
本発明の長所は、削減されたメモリーサイズに起因するコスト削減、チップサイズの削減、消費電力の削減から得られる。逆に、メモリーサイズが予め定まっている場合は、多次元的フーリエ変換のサイズを、これに伴って、分解能を、及び／或いは、シグナル処理の積分ゲインを、これに伴って、センサー感度を高めることが可能である。
【０００９】
即ち、
一本の、或いは、複数本の送信アンテナによる送信シグナルを発するための送信手段、
一本の、或いは、複数本の受信アンテナによるオブジェクトによって反射された送信シグナルを受信するための受信手段、並びに、
受信されたシグナルを処理するためのシグナル処理手段
を包含する、
但し、ここでは、
照射される送信パワーの周波数が、これが、Ｋ本の同じ傾きの線形ランプのシーケンスを包含する様に変調され、
周波数ランプ毎にパラレルに、及び／或いは、各々Ｐ本の連続する周波数ランプ（以下、「周波数ランプグループ」と呼ぶ）毎に、シリアルに（即ち、Ｋ／Ｐ回）、送信アンテナと受信アンテナの様々な組合せ
（例えば、
ｉ）  一本の送信アンテナが、送信パワーを照射し、少なくとも二本の受信アンテナが、反射された電磁波を受信する、或いは、
ｉｉ）  ｎ  （ｎ＝１，２，…．Ｎ）本の送信アンテナが、送信パワーを照射し、一本、或いは、複数本の受信アンテナが、その送信パワーを受信する）
における受信シグナルが、発振器シグナルとの混合、並びに、走査によって収集され、
デジタルシグナル処理手段内において、例えば、離散フーリエ変換（ＤＦＴ）として、周波数ランプ毎、並びに、送信アンテナと受信アンテナの組合せ毎の走査値に関する第一スペクトル分析が計算され、
Ｋ本の周波数ランプ毎に、該第一スペクトル分析の結果が、所謂「距離ゲート」を示す周波数ノードの少なくとも一部用に保存され、続いて、
距離ゲートと送信アンテナと受信アンテナの組合せ毎に周波数ランプ、乃至、周波数ランプグループに関して保存された値について、例えば、ＤＦＴとして第二スペクトル分析が計算され、
その送信アンテナと受信アンテナの様々な組合せに関する結果が、更に（例えば、第三ＤＦＴによる、デジタル電磁波成形の助けを借りて）プロセッシングされる車両の周辺把握のためのレーダーシステムであって、
第一スペクトル分析の結果は、メモリーエリア節約のために圧縮した形で保存できる、但し、距離ゲートと周波数ランプ、乃至、周波数ランプグループ毎の送信アンテナと受信アンテナの様々な組合せの結果は、同じスケーリングを有しているため、該スケーリングは、一回だけ保存されなければならない、
そして、そのようにスケーリングされた値は、シグナル処理（特に、スペクトル分析）において使用され、トランケーションされ、これにより、削減されたビット数よりも少ないビット数で保存され、
更に、この圧縮された値は、次の処理の前に（即ち、第二スペクトル分析の前に）、再び圧縮解除されることを特徴とする車両の周辺把握のためのレーダーシステムであることが好ましい。
【００１０】
尚、好ましくは、レーダーシステムのシグナル処理（特に、各スペクトル分析）は、二の補数表現を用いた固定小数点算術によって実施されることができる。
【００１１】
値の共通のスケーリングは、最上位のビットとそれぞれ同じ値の最少のビット数によって定められ、続いて、スケーリングのために、このようにして定められた数の分だけ前のビットがカットされることが好ましい。
【００１２】
値の共通のスケーリング、並びに、スケーリングされて少ないビット数にトランケーションされた値は、そのビット数が、好ましくは、二のべき乗である共通のバイナリ・ワードにコーディングされることが好ましい。
【００１３】
共通のバイナリ・ワードにコーディングされスケーリングされた値には、異なるビット数が用いられることが好ましい。ビット数として二のべき乗が定められている場合、これを最適に用いることができる利点がある。
【００１４】
スケーリングされた値のトランケーションの前には、ランダムな数を加算することが好ましい。これにより、周波数ランプ、乃至、周波数ランプグループに関するトランケーションエラー、及び／或いは、送信アンテナと受信アンテナの様々な組合せは、少なくとも近似的に無・相関関係となる利点がある。
【００１５】
トランケーション前にランダムな数を加算することにより、或いは、四捨五入することにより、必要に応じて、スケーリングが適合されることを考慮することが好ましい。
【００１６】
周波数ランプ、乃至、周波数ランプグループ毎の複数の、好ましくは、二つの隣接する距離ゲート用の送信アンテナと受信アンテナの様々な組合せの結果は、同じスケーリングであることが好ましい。これにより、スケーリングは、一回のみ保存すればよいと言う利点がある。
【００１７】
該デジタルなシグナル処理手段において、送信アンテナと受信アンテナの様々な組合せにおける異なる感度を圧縮前に平滑化しておくことが好ましい。
【００１８】
各離散フーリエ変換（ＤＦＴｓ）は、高速フーリエ変換（ＦＦＴｓ）によって割り出されることが好ましい。  
【００１９】
即ち、
一本の、或いは、複数本の送信アンテナによる送信シグナルを発するための送信手段、
一本の、或いは、複数本の受信アンテナによるオブジェクトによって反射された送信シグナルを受信するための受信手段、並びに、
受信されたシグナルを処理するためのシグナル処理手段
並びに、  
照射される送信パワーの周波数が、これが、Ｋ本の同じ傾きの線形ランプのシーケンスを包含する様に変調され、
周波数ランプ毎にパラレルに、及び／或いは、各々Ｐ本の連続する周波数ランプ（以下、「周波数ランプグループ」と呼ぶ）毎に、シリアルに（即ち、Ｋ／Ｐ回）、送信アンテナと受信アンテナの様々な組合せ（例えば、ｉ）  一本の送信アンテナが、送信パワーを照射し、少なくとも二本の受信アンテナが、反射された電磁波を受信する、或いは、ｉｉ）  ｎ  （ｎ＝１，２，…．Ｎ）本の送信アンテナが、送信パワーを照射し、一本、或いは、複数本の受信アンテナが、その送信パワーを受信する）の受信シグナルが、発振器シグナルとの混合、並びに、走査によって収集され、
デジタルシグナル処理手段内において、例えば、離散フーリエ変換（ＤＦＴ）として、周波数ランプ毎、並びに、送信アンテナと受信アンテナの組合せ毎の走査値に関する第一スペクトル分析が計算され、
Ｋ本の周波数ランプ毎に、該第一スペクトル分析の結果が、所謂「距離ゲート」を示す周波数ノードの少なくとも一部用に保存され、続いて、
距離ゲートと送信アンテナと受信アンテナの組合せ毎に周波数ランプ、乃至、周波数ランプグループに関して保存された値について、例えば、ＤＦＴとして第二スペクトル分析が計算され、  
その送信アンテナと受信アンテナの様々な組合せに関する結果が、更に（例えば、第三ＤＦＴによる、デジタル電磁波成形の助けを借りて）プロセッシングされる車両の周辺把握のためのレーダーシステムであって、
第一スペクトル分析の結果は、メモリーエリア節約のために圧縮した形で保存できる、但し、距離ゲートと周波数ランプ、乃至、周波数ランプグループ毎の送信アンテナと受信アンテナの様々な組合せの結果は、同じスケーリングを有しているため、該スケーリングは、一回だけ保存されなければならない、
そして、そのようにスケーリングされた値は、シグナル処理（特に、スペクトル分析）において使用され、トランケーションされ、これにより、削減されたビット数よりも少ないビット数で保存され、
更に、この圧縮された値は、次の処理の前に（即ち、第二スペクトル分析の前に）、再び圧縮解除されることを包含することを特徴とする車両の周辺把握のためのレーダーシステム用の方法であることが好ましい。
【図面の簡単な説明】
【００２０】
【図１】図１は、一例として説明されるレーダーシステムの実施形態を示している。
【図２】図２は、所謂「周波数ランプ」からなる送信シグナルと受信シグナルの周波数を示している。
【図３】図３は、二つのオブジェクトが存在している場合における、第一ＤＦＴ前（左）と第一ＤＦＴ後（右）の走査されたシグナルを示している。
【図４】図４には、そこに正に一つのオブジェクトが存在している距離ゲート４内の周波数ランプにおいてローテーションする複素数スペクトル値が示されている。
【図５】図５は、第二ＤＦＴ後の二次元の複素数値のスペクトルを示している。
【図６】図６は、四本の受信アンテナにおける異なる位相、並びに、それらの方位角との関係を説明している。
【図７】図７は、三次元ＤＦＴ前のデータ（左）とその後に得られる三次元複素数値のスペクトル（右）を示している。
【発明を実施するための形態】
【００２１】
実施例
以下、図１に大まかに示されているレーダーシステムの実施例を説明する。該レーダーシステムは、送信シグナルを照射するための一本の送信アンテナ１．１、オブジェクトによって反射された送信シグナルを同時に受信するための複数本、特に好ましくは、表示されているごとく四本の受信アンテナ１．２を有している。全てのアンテナ（送信アンテナと受信アンテナ）は、仰角と方位角において、放射形を有している。複数の受信アンテナは、同じレベルにあり、それぞれ横方向に、即ち、水平方向に同じ間隔ｄを有している。
【００２２】
送信シグナルは、ＧＨｚ領域、特に好ましくは２４ＧＨｚ領域の、周波数を制御電圧ｖＳｔｅｕｅｒによって変更できる高周波振動子１．３から得られる；尚、該制御電圧は、制御手段１．９によって発生される。また、各アンテナによって受信されたシグナルも、実数値ミキサー１．５において、振動子１．３のシグナルと、低周波領域に下がるように混合される。その後、これらの受信シグナルは、それぞれ、示されている伝達機能を備えた帯域フィルター１．６、アンプ１．７、並びに、Ａ／Ｄコンバータ１．８を通り、最後に、デジタルシグナル処理ユニット１．１０において、更に処理される。
【００２３】
ここで、オブジェクトまでの距離を測定できるようにするには、図２に示す如く、高周波振動子の周波数、及び、これに伴って送信シグナルが急速に線形に変化される（例えば、１６μｍ毎に１８７．５ＭＨｚ）；これを、周波数ランプと呼ぶ。これらの周波数ランプは、周期的に繰り返す（例えば、２０μｓ毎）；合計、例えば、１０２４周波数ランプがある。
【００２４】
各々のオブジェクトの受信シグナルは、混合後、よってＡ／Ｄコンバータにおいても、各周波数ランプ毎、且つ、複数の受信チャンネル毎にサインカーブ状の振動となる；これは、図２の助けを借りて、以下のように説明できる：オブジェクトのレーダーシステムに対する周方向への相対速度がゼロの場合、送信されたシグナルと受信されたシグナル間の周波数差Δｆは、一定であり、シグナルランタイムΔｔに比例、即ち、周方向の距離に、式：Δｒ  ＝  ｃ×Δｔ／２のように比例する、但し、ｃが、光速であり、係数１／２も考慮されているため、ランタイムΔｔは、波の往復時間である；尚、周波数差Δｆは、上記の例では、Δｆ  ＝  ２ｒ／ｃ×１８７．５ＭＨｚ／１６μｓ  ＝  ｒ×７８．１２５ｋＨｚ／ｍとなる。各受信チャンネルにおいて受信されたシグナルが、振動子周波数、即ち、送信周波数と混合されるため、ミキサーの後においては、周波数Δｆを有するサインカーブ状の振動が得られる。この周波数は、ＭＨｚ領域にあり、相殺されない（周方向の）相対速度の場合、ｋＨｚ領域でしかないため、オブジェクトの距離による周波数部分に対して略無視しても差し支えないドップラー周波数分ずれる。オブジェクトが複数ある場合、受信シグナルは、異なる周波数の複数のサインカーブ状の振動の重ね合わせとなる。
【００２５】
各々の周波数ランプにおいて、全ての受信チャンネル内で、受信シグナルが、Ａ／Ｄコンバータで、例えば５１２回、例えば、２５ｎｓ（即ち、４０ＭＨｚ）毎の間隔で走査される（図２参照）。図２からも明らかな如く、シグナル走査は、オブジェクトからの受信シグナルが、興味のある距離範囲にあるオブジェクトからの時間範囲にある場合においてのみ有意義である  −  ランプスタート後は、少なくとも、興味のある最も遠い距離に対応するランタイム分、待機されなければならない（最遠距離を２００ｍとすると１．２５μｓに相当する）。
【００２６】
続いて、周波数ランプ毎と受信チャンネル毎で、例えば、５１２ケの走査値に関して、離散フーリエ変換（ＤＦＴ）を、高速フーリエ変換（ＦＦＴ  ＝  Ｆａｓｔ  Ｆｏｕｒｉｅｒ  Ｔｒａｎｓｆｏｒｍ）の形で得る。これにより、異なる周波数となる様々な距離のオブジェクトを分離することができる（図３参照、左：オブジェクトが二つある場合のＤＦＴ前のシグナル、右：ＤＦＴ後；尚、式中、ｋは、例えば、１０２４ケの周波数ランプのインデックス、ｍは、複数の受信チャンネルＲＸｍのインデックスである）。ＤＦＴの各々の離散した周波数ノードｊは、一つの距離ｒに対応しているため、パルスレーダーの場合と同じように、距離ゲートと呼ぶことができる；上記のような解釈では、距離ゲートの間隔、即ち、その幅は、例えば、１メートルである（上記の例では、ｒ×７８．１２５ｋＨｚ／ｍ  ＝  １／（１２．８μｓ）となる）。オブジェクトがそこにある距離ゲートには、ＤＦＴにおいて、パワーピークが現れる。走査された受信シグナルが、実数値であり、且つ、アナログ帯域フィルター１．５の上部移行領域が、例えば、８．７６４ＭＨｚの周波数帯域幅（１１２ケの周波数ノードの領域に相当）であるため、例えば、５１２ケの離散した周波数ノードのうち２００ケのみを更に処理することができる（備考：フィルターの任意に狭い移行領域を実現することは不可能である）。該フィルター１．５は、小さな周波数を抑え、それによって、近距離のオブジェクトの受信シグナルも、アンプ１．６とＡ／Ｄコンバータ１．７のオーバーライドを避けるために、抑制する（アンテナによって受信されるシグナルは、オブジェクト距離が小さくなるほど、強くなる）。
【００２７】
例えば、１０２４ケの周波数ランプ（ｋ  ＝  ０，１，…，１０２３）に対して、各々の受信チャンネルｍ  （ｍ＝０，１，２，３）の各々の距離ゲートｊ毎（即ち、観察される２００の周波数ノード毎）に、複素数のスペクトル値ｅ（ｊ，ｋ，ｍ）が、割り出される。一つの距離ゲートに対応する距離内に、ちょうど一つのオブジェクトがある場合、この距離ゲートｊ内において、複素数のスペクトル値は、周波数ランプから次の周波数ランプまでの間、距離（ｍｍオーダー、或いは、それ以下）、並びに、帰属する振動の位相が、一定に変化するため、例えば、１０２４ケの周波数ランプ毎、ドップラー周波数分だけローテーションする（図４参照、この様な周波数ランプ毎、４５°の相変化は、オブジェクトの距離変化λ／（８×２）  ＝  ０．７８ｍｍに相当し、波長が、λ  ＝  ｃ／２４．１５ＧＨｚ  ＝  １２．４ｍｍ、分母のファクター２によって往復が、考慮されているため、相対速度ｖｒｅｌ  ＝  ０．７８ｍｍ／２０μｓ  ＝  １４０ｋｍ／ｈが得られる）。同じ距離ゲート内にある相対速度が異なる複数のオブジェクトは、各々の受信チャンネルと各々の距離ゲートにおいて、例えば、１０２４ケの周波数ランプ毎に得られる複素数のスペクトル値の第二ＤＦＴが計算されることにより、分離される。この第二ＤＦＴの各々の離散した周波数ノードｌは、それぞれ一つのドップラー周波数のセット（ドップラー周波数の走査であるため、操作周波数の未知の整数倍までしか定めることができない）、即ち、オブジェクトの相対速度ｖｒｅｌの一つのセットに対応しているため、第二ＤＦＴの離散した周波数ノードを、相対速度ゲートと呼ぶことも可能である（この解釈例において得られる得る相対速度のセット中、道路交通において有意義なもの、即ち、実際にあり得るものは、一つしか含まれない、図５参照）。第二ＤＦＴは、相対速度を割り出すためだけのものではなく、積分をすることによって、認識感度も高めている  −  １０２４ケの周波数ランプの場合、約１０×ｌｏｇ１０（１０２４）  ＝  ３０ｄＢ。
【００２８】
相対速度用の第二ＤＦＴの後、各々の受信チャンネル用に、二次元の複素数のスペクトル値が得られるが、各々のセルは、距離・相対速度ゲートと呼ぶことができ、各々帰属する距離・相対速度ゲートには、オブジェクトによるパワーピークが現れる（図５参照）。
【００２９】
最後に、複数の受信チャンネル（複数の受信アンテナ）からの情報が統合される。送信アンテナから照射され、個々のオブジェクトから反射された波は、例えば、四本の受信アンテナｍ，  ｍ＝０，１，２，３に、該オブジェクトと各受信アンテナの距離が多少異なっているため、方位角αに依存した様々な位相ｊ（ｍ）で到達する；尚、全ての受信アンテナが、水平方向には、等距離であるため、位相は、四本のアンテナにおいて線形的に増す、乃至、減る（図６参照）。一定の、即ち、補正可能な位相シフト以外の位相差は、場合によっては、第二ＤＦＴ後まで残るため、四本の受信チャンネルにおいて、それぞれの距離・相対速度ゲート内で、デジタル電磁波成形を実施することができる。その際、線形的に増加する位相を有するそれぞれの複素数ファクターのセットと掛け算される四本の受信チャンネルの複素数の値の合計を計算する；尚、各々のファクターセットの線形の位相変化に依存して、異なる照射方向の放射ローブが得られる。この放射ローブの放射幅は、個々の受信アンテナのそれよりも有意に狭いものである。上記の総和は、８点ＤＦＴによって実施されるが、例えば、四本の受信チャンネルの、例えば、四つの値は、四つのゼロで補完できる；尚、このＤＦＴの離散した周波数値は、異なる方位角と対応しているため、角度ゲートｎ  （ｚ．Ｂ．    ｎ＝  ０，１，…．７）と呼ぶことができる。
【００３０】
方位角の第三ＤＦＴの後、各々の受信チャンネル用に、三次元の複素数のスペクトル値が得られるが、これらのセルは、距離・相対速度・角度ゲートと呼ぶことができ、オブジェクトによるパワーピークが、各々帰属する距離・相対速度・角度ゲートに、現れる（図７参照、左：三次元ＤＦＴ前のデータ、右：その後）。パワーピークを割り出すことにより、オブジェクトを検出し、その寸法、距離、相対速度（場合によっては、多義なこともあり得る）、並びに、方位角を割り出す。パワーピークは、ＤＦＴウィンドウ機能に起因して、隣接するセルにも、レベルを有するため、レベルに依存して補間することにより、ゲート幅よりも有意に正確にオブジェクト寸法を割り出すことが可能である。三つのＤＦＴのウィンドウ機能は、（十分なオブジェクト分離のために）パワーピークの幅が広がらないようにする一方、（反射の強いオブジェクトの存在下において、反射が弱いオブジェクトも認識できるように）ウィンドウ・スペクトルのサイドローブが、大きくなり過ぎないように選択することができることを示唆しておく。パワーピークの高さから、四つ目のオブジェクト寸法として、それが、レーダー波をどの程度反射するかを示す、反射断面積を推定することができる。上記のオブジェクトの検出と、帰属しているオブジェクト寸法の割り出しが、一つの測定サイクルであり、周辺のその時点の状況を提供する；尚、これは、例えば、約３０ｍｓ毎に周期的に繰り返される。
【００３１】
測定寸法である距離、相対速度、並びに、方位角が、それぞれ独立して、しかも、高い解像度で、割り出されることができるため、上記の方法は、長所として、高い解像度とそれに伴う目標分解能を有している。欠点は、大きなデータ量を処理しなければならないため、高い計算キャパシティーと大きなメモリーキャパシティーが必要となることである。半導体技術における恒常的な進展により、クロック周波数が高くなり、よりインテリジェントな実装により計算キャパシティーのコストは、メモリーキャパシティーのそれよりも早く低下している。よって、上記の方法をメモリー要求量に関して最適化することが重要である。
【００３２】
相対速度と方位角を得るために第二、及び、第三ＤＦＴを計算する前には、例えば、１０２４ケ全ての周波数ランプと、例えば、四本の受信チャンネル用に、例えば、２００ケの距離ゲートのＤＦＴを割り出さなければならない。この例で用いられているデジタルシグナル処理ユニット１．１０は、二の補数表現での３２Ｂｉｔ固定小数点算術を計算するものである。よって、一つの複素数の値毎に８Ｂｙｔｅ（２  ｘ  ３２Ｂｉｔ、但し、１Ｂｙｔｅ  ＝  ８Ｂｉｔ）が、必要である。例えば、１０２４ケの周波数ランプ、例えば、四本の受信チャンネル、並びに、２００ケの距離ゲートの場合、１０２４ｘ４ｘ２００ｘ８  ＝  ６．５５３．６００Ｂｙｔｅのデータが発生する。即ち、これに必要なメモリーには、数ユーロのコストがかかる。
【００３３】
よってここでは、距離測定用の第一ＤＦＴの後、データの圧縮が実施される。これには、第一ＤＦＴの結果を、以下に説明する所謂「疑似浮動小数点表現」に変換する：
第一ＤＦＴ後、例えば、４本の受信チャンネルの各距離ゲートにおいて、周波数ランプ毎、例えば、３２Ｂｉｔの８つの実数値が得られる（４つの実数部分と４つの虚数部分  −  第一ＤＦＴ後、値は、複素数である）。この例えば、８つの３２Ｂｉｔ固定小数点値から二の補数算術によって、最上位のビットからそれぞれ何ビット、始めて違う値のビットが現れるまで（最上位のビットと）同じ値を有しているかが割り出される（最上位のビットは、ＭＳＢ  ＝  Ｍｏｓｔ  Ｓｉｇｎｉｆｉｃａｎｔ  Ｂｉｔとも呼ばれ、二の補数表現では、正負の情報を包含している）：例えば、１１１１１１１０１０１１１００００００００１０００００１０１１１の場合、値が１であるＭＳＢに続いて、最初のゼロが来るまで、合計６つの一が存在している。８つのＭＳＢと同じ値で続いている値の数のなかから、ブロックシフトと呼ばれる最低値を割り出す。以下の８つの３２Ｂｉｔ数の例：
【００３４】
【数１】
0006490104.tif 000002
【００３５】
の場合、ブロックシフトは、４である（ＭＳＢの後、４Ｂｉｔのみが、ＭＳＢと同じ値である四番目と五番目の数において）。このブロックシフトを二進法８Ｂｉｔでコーディングする、即ち、上の例では、０００００１００となる。
【００３６】
全ての３２Ｂｉｔ数において、第一ブロックシフト（この例では、４）ビットをカットし、その後の７Ｂｉｔｓ、即ち、所謂「仮数」を抽出する；尚、ブロックシフトが、２５よりも大きい場合、３２Ｂｉｔ数の下位ビットは、全てゼロで拡張する。それぞれ７Ｂｉｔｓの８つの仮数は、ブロックシフトの８Ｂｉｔに結合することで、疑似浮動小数点表現の６４Ｂｉｔ値が得られる；尚、上記の例では（点は、各部分を分離し、見やすさを向上するために用いた）：
【００３７】
【数２】
0006490104.tif 000003
【００３８】
即ち、この演算こそが、８つの値のブロックシフトへの画一的なスケーリングとスケーリングされた値の７Ｂｉｔへのトランケーションである。
【００３９】
３２Ｂｉｔ数のブロックシフトの表現に５Ｂｉｔｓで十分足り得ることを指摘する；尚、上記の例では、メモリー内で使用されるビット数が、通常、二のべき乗であるため、合計６４Ｂｉｔにするためには、８Ｂｉｔのみ「拡張される」ことになる。尚、使用されていないこれら三ビットも、他の場所に挿入できることは、言うまでもない。
【００４０】
圧縮された値に必要なビットを可能な限り少なくするために、４つ全ての複素数のチャンネル値に対して、同じ、ブロックシフト、即ち、疑似浮動小数点表現用に同じスケーリングを用いた。全ての受信チャンネルは、同一の目標物を見ているため、少なくとも、各々一つの距離ゲート内に一つの目標物しかない場合、同じレベルを有しており、全てのチャンネルに同じスケーリングを用いても、例えば、４つの複素数の受信チャンネル値に、或いは、合計８つの実数部分（実数と虚数部分）に対して個々のスケーリング値を用いた場合と比べても、トランケーションエラーの増加は、無い、乃至、微々たるものに過ぎない。但し、「少なくとも、各々一つの距離ゲート内に一つの目標物しかない場合、同じレベルを有している」と言う上記の主張は、これらが同じ感度を有している場合にのみ有効である。仮に、受信チャンネルのアナログ部分が、（例えば、受信アンテナとミキサーとの間の配線の長さが異なっているために）異なる感度を有している場合、デジタルシグナル処理において、例えば、第一ＤＦＴ前に、異なるファクターをかけることによって平滑化する。
【００４１】
上記の、例えば、４つの複素数受信チャンネル値の６４Ｂｉｔへの圧縮は、例えば、１０２４ケの周波数ランプと例えば、２００ケの距離ゲート全てに対して実施される。これにより、メモリーの必要量は、１．６３８．４００Ｂｙｔｅとなる、即ち、７５％削減される。
【００４２】
全ての周波数ランプにおいて第一ＤＦＴが割り出され、その結果が、圧縮された疑似浮動小数点表現で保存された後、各々の距離ゲート用に順に、相対速度と方位角を割り出すための第二および第三ＤＦＴが計算され、この二次元に対してパワーピークが割り出され、セーブされる。
【００４３】
これらの計算も、二の補数表現における３２Ｂｉｔ固定小数点演算として実施されるため、第一ＤＦＴ後に圧縮されたデータは、再び「解凍」、即ち、以下に説明する如く、圧縮解除される。
【００４４】
各々の距離ゲートに対して、例えば、１０２４ケの周波数ランプのそれぞれ６４Ｂｉｔの圧縮されたデータは、順に読みだされる。これらの６４Ｂｉｔ数は、７Ｂｉｔ仮数として４本の受信チャンネルの４桁の実数部分と４桁の虚数部分、並びに、共通の８Ｂｉｔブロックシフトを包含している。これらから３２Ｂｉｔ固定小数点値を得るためには、仮数の前に、最上位のビットをブロックシフト分（上記の例では、４ケ）挿入し、仮数の後ろは、３２Ｂｉｔになるようにゼロを補填する；ブロックシフトが２５よりも大きい場合は、仮数の後ろの（いずれにせよゼロである）ビットは、無い。上記の例では、以下の８つの実数値を有する３２Ｂｉｔ数が得られる（点を用いて仮数の位置を可視化した）。
【００４５】
【数３】
0006490104.tif 000004
【００４６】
これらの値の最初の１１Ｂｉｔは、元の値と同じであり、続く２１Ｂｉｔには、ゼロが当てはめられているため元の値とは異なっている。
【００４７】
記述されている方法は、パワーピークを、先ず、相対速度と方位角の次元から、即ち、距離ゲート毎に、割り出し、これらを保存する。全ての距離ゲートに対して、パワーピークが作成され、保存された後、最後のステップにおいて第三次元である距離から、パワーピークが最終的に割り出される。
【００４８】
最多でも数百のリフレクション・ポイントしか存在しないため、距離ゲート毎のパワーピークの中間保存に必要なメモリーは、第一ＤＦＴ後の結果用に必要とされるメモリーよりも、はるかに僅かである。これにより、ここに記載されているレーダー方法では、主要なメモリー負荷は、上記の圧縮メカニズムにより７５％削減できる第一ＤＦＴ後のデータにある。
【００４９】
圧縮では、仮数後のカットされたビットの情報内容は、失われる。即ち、このトランケーションによりエラーが発生する。上記の方法では、切り捨てされ、四捨五入されない。これにより、平均、仮数の下位ビット（ＬＳＢ  ＝  Ｌｅａｓｔ  Ｓｉｇｎｉｆｉｃａｎｔ  Ｂｉｔ）の半分、エラーが発生する。
【００５０】
切り捨てる代わりに四捨五入することにより、平均的エラーを避けることができる。四捨五入は、仮数ＬＳＢの半分とある値を切り捨て前に加える、即ち、上記の例では、以下のようになる（点を用いて仮数の位置を可視化した）：
【００５１】
【数４】
0006490104.tif 000005
【００５２】
一つの距離ゲートに対する圧縮時のトランケーションにより発生するエラーは、周波数ランプ全体で見れば、略同じである。その理由は、一つの距離ゲート内で全体として合計２０．４８ｍｓ続く周波数ランプの間、（相対速度が、極度に大きくない場合）同じ目標物を検出し、この間、そのレベルが、ほとんど変化しないため、一つの距離ゲート内のブロックシフトが、全ての周波数ランプに対して、略同じであるからである。周波数ランプに対するトランケーションエラーが、偶発的、即ち、相関関係を有していない場合、エラーは、例えば、１０２４ケの周波数ランプに対する第二ＤＦＴにおいて、首尾一貫しては統合されない；これにより、第二ＤＦＴ後のトランケーションノイズパワーとシグナルパワーの間隔は、例えば、１０×ｌｏｇ１０（１０２４）  ＝  ３０ｄＢ大きくなる。四本の受信チャンネルに対する第三ＤＦＴでは、受信チャンネルのトランケーションエラーは、相関関係を有していない場合、更に、１０×ｌｏｇ１０（４）  ＝  ６ｄＢ増加する。
【００５３】
これにより、圧縮のトランケーションのダイナミック領域は、６Ｂｉｔ（１Ｂｉｔは、６ｄＢに相当；よって合計３６ｄＢの積分ゲイン）分、高くなる；即ち、仮数の７Ｂｉｔに、第二と第三ＤＦＴの積分ゲインから更に６Ｂｉｔ加わる。
【００５４】
強く反射する目標物は、いずれにせよ、理想的ではないハードウェア特性（例えば、振動子の相ノイズなど）やシグナル処理アーティファクト（ＤＦＴのウィンドウ機能のスペクトルのサイドローブなど）、ダイナミック領域を小さくし、反射が極度に弱い目標物を見えなくしてしまうことから、この一つの距離ゲート内の最も強い目標物に対する約１３Ｂｉｔのダイナミック領域は、十二分だと言える。
【００５５】
もちろん、特に、近くの目標物が、遠くの目標物よりもより大きなレベルを有していると言う理由から、全ての距離に対しては、大きなダイナミック領域が必要ではある。とは言え、圧縮のトランケーションは、各々一つの距離ゲート内においてのみ、ダイナミック領域を、言わば「アダプティブに」制限しているに過ぎないため、上記に対して相反するものではない。
【００５６】
第二、及び、第三ＤＦＴの積分ゲインの結果、及び、この積分ゲインが原因となって、圧縮の際の仮数の長さは、三つのＤＦＴの計算に用いた数の長さ（ここでは、３２Ｂｉｔ）と比較して有意に短縮され、メモリーキャパシティーが節約できる。
【００５７】
既に、限定的に述べた如く、圧縮のトランケーションノイズに対して、該トランケーションノイズが、全ての周波数ランプと受信チャンネルにおいて相関関係を有していない場合にのみ（全ての距離ゲートに対しては、そうである必要はない）、第二と第三ＤＦＴの積分ゲインが得られる。仮に  −  強い反射が得られるケースなど  −  トランケーションノイズが、ハードウェアによるシステムノイズ（アナログ部分のノイズ）よりも大きい場合、一般的に「無・相関関係」は成立せず、例えば、第三ＤＦＴ後、実数のパワーピークが得られない、即ち、レーダー画像に、所謂「ゴースト検出」が現れる。よって、トランケーション前（即ち、仮数を抽出する前）に、「無・相関関係」が内因的に保障されるだけノイズを加算することが好ましい。これには、後に切り捨てられる数Ｂｉｔにまたがるランダムな数を加えておく；これは、インターバル［０，  仮数−ＬＳＢ］から選ばれるランダムな数である。全ての周波数ランプと受信チャンネルに対して、このランダムな数は、無・相関関係であるが、距離ゲートに関しては、同じであっても良い。以下、上の例における最初の８つの仮数を抽出する前にランダムな数が加算される実数を観察する（点を用いて仮数の位置を可視化した）：
【００５８】
【数５】
0006490104.tif 000006
【００５９】
これにより、仮数は、１１１０１０１から１１１０１１０に変わる。
【００６０】
このようなランダムな数の加算により（上記のように、切り捨てではなく、仮数ＬＢＳの半分を加えて四捨五入することによっても）、仮数のオーバーフローが起こり得る（仮数０１１１１１１において）、即ち、仮数の最上位のビットが、元の数の最上位のビットと一致せず、ブロックシフトが下がる。この様なケースは、適宜、リカバーされなければならない、例えば、基の仮数０１１１１１１がある場合、前もってブロックシフトを１だけ、下げておく。
【００６１】
尚、トランケーションエラーが、十分に無・相関関係であるため、加算されたランダムな数の長さは、例えば、８Ｂｉｔに短縮できると言うことは、特記しておく。
【００６２】
最後に、上記のデータ圧縮は、言うまでもなく、他のシステム・アーキテクチャにも応用できる、及び／或いは、他の特徴をもって実装できると言うことも述べておく；以下、更に数例を挙げる：
・これまでは、全ての、例えば、四本の受信チャンネルでの並行したデータの捕捉を観察してきた；必要なハードウェアを削減するために、ミキサーの後にマルチプレクサーを挿入し、受信機の低周波部分からＡ／Ｄコンバータまで四系統ではなく、一系統で実施できるようにする；これにより、周波数ランプ毎に交代にそれぞれ一本の受信チャンネルのデータのみを捕捉するようにすることができる：即ち、周波数ランプ１，５，９，．．．は、受信チャンネル１、周波数ランプ２，６，１０，．．．は、受信チャンネル２、．．．となる；よって、距離ゲート毎では、四本の受信チャンネル用のそれぞれ四つの連続する周波数ランプ毎に、即ち、周波数ランプグループ１−４，  ５−９，  ．．．のデータにまとめられる、
・上記の受信チャンネルのシリアルなデータ捕捉は、一本の受信アンテナと複数の送信アンテナのレーダーシステムにも同様に応用できる；更には、圧縮は、複数の受信アンテナに対してパラレルに、複数の送信アンテナに対してシリアルに捕捉されたデータにも応用できる、
・圧縮のトランケーションエラーは、一般的に、有意に短い仮数長においても十分に小さい；例えば、１６Ｂｉｔのシグナル処理、且つ、６本の受信チャンネルの場合、６４Ｂｉｔ圧縮は、合計１２の実数と虚数部分のための４Ｂｉｔブロックシフトと５Ｂｉｔ仮数長によって、実現できる、
・仮にシグナル処理が、１６Ｂｉｔ以上（例えば、２４Ｂｉｔ）で実施されても、第一ＤＦＴではまだ、通常、シグナル処理のダイナミクス全てが必要とはされていないため、４Ｂｉｔブロックシフトを用いることができる（全てのダイナミクスは、第二と第三ＤＦＴの更なるシグナル処理において初めて必要となる）；その場合、ブロックシフトは、最大１５に制限する、
・特に、ブロックシフトと仮数の合計で、（通常、このようにメモリーが構成されているので）二のべき乗のビット数になるようにするためには、全ての仮数が同じ長さであることに意味がある；例えば、１６Ｂｉｔのシグナル処理、且つ、４本の受信チャンネルの場合、３２Ｂｉｔ圧縮は、４つの実数部分用の４Ｂｉｔ仮数長と４つの虚数部分用の３Ｂｉｔの仮数長によって、実現できる、
・ここまでは、それぞれ一つの距離ゲート毎の受信チャンネルのデータを一緒に  −  即ち、同じスケールで  −  圧縮することを考察してきた；しかし、通常（ウィンドウ機能に起因スペクトルが劣化するため）、各距離ゲート間においてレベルにはあまり違いがないと言うこと、並びに、更なるプロセスのためには、主に、パワーピークを有する（即ち、極大値のある）各距離ゲートが、小さな相対的トランケーションエラーを有していることが重要であると言うことから、複数の、特に好ましくは、二つの隣接する距離ゲートに同じスケーリングを用いることもできる；四本の受信チャンネルにおいて、二つの連続する距離ゲートに対して共通のスケーリングを用いた場合、８つの虚数値が、一緒に圧縮される、
・浮動小数点演算によるシグナル処理（特にＤＦＴｓ）の実施のためにも、第一ＤＦＴ後の保存されている値のデータ圧縮を応用することができる。
【００６３】
添付資料には、ＭＡＴＬＡＢスクリプト（ＭＡＴＬＡＢは、数学技術用の高水準なプログラミング言語）による、圧縮と解凍の例が挙げられている；該スクリプトでは、適宜なコメントによって、圧縮と解凍が詳細に説明されている。
【００６４】
上記、並びに、添付資料に記載されている発明は、レーダーシステムのプロセッサー内で採用されるものである。その際、例えば、圧縮／解凍は、ハードウェア内で直接的に（例えば、シリカ内にハードとして組み込むことにより）、或いは、本発明に係る方法を有するソースコードとして、プロセッサー上に実装される。本発明は、レーダーシステム用の方法、並びに、装置として、請求される。
【図１】
0006490104.tif 000007
【図２】
0006490104.tif 000008
【図３】
0006490104.tif 000009
【図４】
0006490104.tif 000010
【図５】
0006490104.tif 000011
【図６】
0006490104.tif 000012
【図７】
0006490104.tif 000013